(57)【特許請求の範囲】
【請求項１】
電源コードの巻取り用であって巻取り方向への付勢力を有しているとともに任意の引き出し位置で電源コードを停止自在としたコードリールを電源コードの引出し方向を下方にして支持板に固定し、天井材に孔を明け、この孔に下方側からコードリールを通して支持板の下端の取付板を天井材の下面に固定させることでコードリールを天井材に設置し、取付板に備えたコード引出し口にコードリールから導出させた電源コードを挿通させてその先端にコンセントを設けて天井材の下方にコンセントを引き出し自在とし、コードリールから給電用コードを導出すると共にこの給電用コード先端に電源プラグを設け、この電源プラグを天井材の上面の孔縁部に設置した給電用コンセントに接続したことを特徴とする天井コンセント。
【請求項２】
コンセントは、電源プラグとの接続を磁気力によって行うものであることを特徴とする請求項１記載の天井コンセント。
【発明の詳細な説明】
【０００１】
【発明の属する技術分野】
本発明は天井から給電を行うための天井コンセントに関するものである。
【０００２】
【従来の技術】
天井から給電を行うためにコンセントを天井から吊り下げた場合、不使用時に邪魔になることから、コンセントと天井とのうちの一方にワイヤーリールを設けるとともにワイヤーリールから繰り出されるワイヤーの先端を他方に連結し、このワイヤーを取り巻くヘリカルコイル状（カール形状）の電源コードで天井からコンセントまでの電源接続を行ったものが提供されている。
【０００３】
【発明が解決しようとする課題】
この場合、コンセントの使用時にはコンセントを引き下げることができ、コンセントの不使用時にはコンセントを天井側に上げておくことができる。しかし、電源コードがカール形状であることから天井側に上げている時も、コンセントは電源コードの縮長分だけ天井から下方に位置していて天井から電源コードがぶら下がったままであることには変わりはなく、室内をすっきりとした状態とすることはできない。
【０００４】
本発明はこのような点に鑑み為されたものであり、その目的とするところはコンセントを使用していない時にはコンセントを吊り下げている電源コードの露出が全くなくて室内をすっきりとさせることができる天井コンセントを提供するにある。
【０００５】
【課題を解決するための手段】
しかして本発明は、電源コードの巻取り用であって巻取り方向への付勢力を有しているとともに任意の引き出し位置で電源コードを停止自在としているコードリールを電源コードの引出し方向を下方にして支持板に固定し、天井材に孔を明け、この孔に下方側からコードリールを通して支持板の下端の取付板を天井材の下面に固定させることでコードリールを天井材に設置し、取付板に備えたコード引出し口にコードリールから導出させた電源コードを挿通させてその先端にコンセントを設けて天井材の下方にコンセントを引き出し自在とし、コードリールから給電用コードを導出すると共にこの給電用コード先端に電源プラグを設け、この電源プラグを天井材の上面の孔縁部に設置した給電用コンセントに接続したことに特徴を有している。これによると、コンセントの不使用時には、コンセントが先端に設けられた電源コードを天井面上方に設置されているコードリールに巻きとってしまうことができるようにしたものであり、また、コードリールの取付け施工については天井材の下方側からの作業だけで行うことができるものである。
なお、上記コンセントは、電源プラグとの接続を磁気力によって行うものであることも好ましい。
【０００７】
【発明の実施の形態】
本発明の実施形態の例について説明すると、コンセント３が先端に設けられた電源コード２を巻取ることができるコードリール１は、電源コード２を巻取る方向にばね付勢されているリールドラムを内蔵するとともに、電源コード２を引き出した時、任意位置で停止させることができるタイプのもので、電源コード２の引き出し方向を下方としているコードリール１の一側面から引き出されるとともにコードリール１内部において電源コード２の他端と電気的に接続されているリード線１０には、圧着スリーブ１１によって給電用コード１２が接続されており、給電用コード１２の他端には通常のプラグ１３が設けられている。図中１４はリード線１０と給電用コード１２との接続部を覆う絶縁カバーである。そして上記コードリール１の上記側面の周部から突設された複数個の突起１６によって、コードリール１が固着された支持板４は、その下端にコード引き出し口４１を備えた取付板４０を有している。
【０００８】
この天井コンセントは、図３に示すように、天井材５に明けた孔５１に下方側からコードリール１を通して取付板４０を天井材５下面にビス止め等の手段で固定することで、コードリール１を天井面の上方に設置されるものであり、給電用コード１２先端の前記プラグ１３は天井材５の上方側に設置している給電用コンセント１５に接続する。給電用コンセント１５を天井材５の上面側に設置してプラグ１３で接続できるようにしておくと、コードリール１の取付施工については天井材５の下方側からだけの作業で行うことができるものである。
【０００９】
しかして、この天井コンセントにおいては、通常時、電源コード２がコードリール１に巻取られているために、天井材５の下方には電源コード２先端のコンセント３が露出しているだけであり、室内をすっきりとさせておくことができる。そしてコンセント３の使用時には、コンセント３を引き降ろして電源コード２をコードリール２から引き出すことで、所要の高さにコンセント３を位置させることができる。この時、コードリール１は任意位置で電源コード２を停めることができるために任意の高さにコンセント３を位置させることができ、使用が終われば電源コード２を少しだけ引けばコードリール１における巻取り付勢力で電源コード２が巻取られて元の状態に復帰する。コンセント３の引き降ろしの際の便宜を図るために、コンセント３部分には引っ張りリング６を付設しておき、先端にフックを有する別途器材で引き降ろすことができるようにしておくとよい。
【００１０】
また、コンセント３に電気器具を接続した状態でコードリール１が電源コード２の巻取りを始めた場合、接続した電気器具側の電源コードが伸び切ってしまうことになり、きわめて危険であることから、ここではコンセント３として、電源プラグとの接続を磁気力によって行うマグネットコネクタータイプのものを用いている。電気器具側の電源コードが伸び切ってしまった時には、コンセント３から電源プラグが外れてしまうようにしているわけである。なお、電気器具側の電源プラグが磁気力によって接続を行うタイプのものでない時には、通常の電源プラグが差し込み接続されるとともにコンセント３への接続が磁気力で行われるアダプターをコンセント３側に用意しておくことで対処する。
【００１１】
ところで、天井が所謂システム天井で構成されている場合、上記天井材５としてはスピーカーや非常灯や空調吹き出し口などの各種設備設置用としての設備プレートを用いるとよい。図５及び図６にシステム天井の一例を、図７にシステム天井における設備プレート５０で上記天井コンセントの取付用のものを示す。図５及び図６において、７０は構造材から吊り下げられた支持バーであり、この支持バー７０に複数本の平行なメインバー７１を取り付けるとともに、メインバー７１に交差させて複数本の平行なサブバー７２を取り付けて、メインバー７１とサブバー７２とで囲まれる各矩形状空間に天井材５を配置するとともに、所要の間隔で設置したメインバー７１，７１間の部分に照明器具７５と設備プレート５０とを配している。前記給電用コンセント１５は、設備プレート５０そのものの上面に設けておくことで、施工を容易としている。
【００１２】
図８及び図９は設備プレート５０への固定の例を示しており、設備プレート５０の上面側に木台５５を介してコードリール１を固定するとともに、設備プレート５０の下面側には化粧プレート１８を配している。
【００１３】
【発明の効果】
以上のように本発明においては、電源コードの巻取り用であって巻取り方向への付勢力を有しているとともに任意の引き出し位置で電源コードを停止自在としているコードリールを天井面上方に設置して電源コード先端のコンセントを天井面下方側に引き出し自在としていることから、コンセントの不使用時には、電源コードをコードリールに巻きとってしまうことができるものであり、このために天井面の下方にはコンセントしか露出しない状態とすることができるものであって、不使用時の室内をすっきりとさせることができるものである。また、天井材の孔に下方側からコードリールを通して支持板の下端の取付板を天井材の下面に当接固定させることでコードリールを天井材に設置し、取付板に備えたコード引出し口にコードリールから導出させた電源コードを挿通させてその先端にコンセントを設けて天井材の下方にコンセントを引き出し自在とし、コードリールから給電用コードを導出すると共にこの給電用コード先端に電源プラグを設け、この電源プラグを天井材の上面の孔縁部に設置した給電用コンセントに接続したことから、コードリールの取付け施工については天井材の下方側からの作業だけで行うことができるものである。
【００１４】
そして上記コンセントとして、電源プラグとの接続を磁気力によって行うものを用いた場合、コンセントとこれに接続された電気器具との間に張力が働いた場合、コンセント部分で電気器具が切り離されてしまうために、電源コードが巻取り方向に付勢されているとはいえ、危険な事態を招くことがないものとなる。
【図面の簡単な説明】
【図１】本発明の実施の形態の一例の破断側面図である。
【図２】同上のコードリールの斜視図である。
【図３】同上の取付施工の手順を示すもので、(a)(b)は断面図である。
【図４】同上の正面図である。
【図５】システム天井の一例の部分斜視図である。
【図６】システム天井の一例の部分平面図である。
【図７】設備プレートの一例の平面図である。
【図８】設備プレートに天井コンセントを固定する例の断面図である。
【図９】同上の断面図である。
【符号の説明】
１  コードリール
２  電源コード
３  コンセント
５  天井材
【図１】
0003574880.tif 000002
【図２】
0003574880.tif 000003
【図３】
0003574880.tif 000004
【図４】
0003574880.tif 000005
【図５】
0003574880.tif 000006
【図６】
0003574880.tif 000007
【図７】
0003574880.tif 000008
【図８】
0003574880.tif 000009
【図９】
0003574880.tif 000010